(57)【要約】【課題】短絡保護検出用ラインの電圧を検出するために用いられるダイオードの個数を削減できるセーフティ回路を有する電源装置を提供する。【解決手段】マイコン２０の電流遮断制御手段は、レギュレータ１０，１１の出力ラインＬ１，Ｌ３の状態を調べるため、セーフティ回路に含まれるダイオード１２，１３，１４，１６が接続された短絡保護検出用ラインＬの電圧を監視しており、その電圧が所定値以下になったことを検出したときに、電流遮断手段８，９を遮断動作させ、直流電圧出力回路１からレギュレータ１０，１１への電流を遮断させる。これにより、レギュレータ１０，１１は、コンデンサ１５，１９の短絡から保護されることになる。この構成により、ダイオードの個数が削減できて、コストダウンを実現できる。【選択図】図１
2008301583.tif 000002
【特許請求の範囲】
【請求項１】
印加された交流電圧を低圧にして所定の直流電圧に変換して出力する直流電圧出力回路と、
前記直流電圧出力回路からの所定の直流電圧を入力して一定の直流電圧を出力する複数の定電圧出力回路と、
前記直流電圧出力回路の出力端と前記各定電圧出力回路の入力端との間にそれぞれ介在し当該定電圧出力回路の出力ラインと接地ラインとの間が短絡したとき前記直流電圧出力回路から前記各定電圧出力回路への電流をそれぞれ遮断させるための複数の電流遮断手段と、
前記各定電圧出力回路の出力ラインにそれぞれカソードが接続された複数の出力ライン接続側のダイオードと、
前記各出力ライン接続側のダイオードのアノードの接続点に、カソードが接続され１個または２個以上直列接続された短絡保護検出用ライン接続側のダイオードと、
前記短絡保護検出用ライン接続側のダイオードのアノードが接続されたラインを短絡保護検出用ラインとし、前記複数の定電圧出力回路の出力ラインの何れかが接地ラインとの間で短絡して短絡保護検出用ラインの電圧が所定値以下になったことを検出したときに、前記複数の電流遮断手段を遮断動作させ、前記直流電圧出力回路から前記複数の定電圧出力回路への電流を遮断させる電流遮断制御手段とを含み構成されたことを特徴とする電源装置。
【請求項２】
前記複数の定電圧出力回路としての、前記直流電圧出力回路からの所定の直流電圧を入力して一定の直流電圧を出力する第１の定電圧出力回路と、同じく前記直流電圧出力回路からの所定の直流電圧を入力して一定の直流電圧を出力する第２の定電圧出力回路と、
前記複数の電流遮断手段としての、前記直流電圧出力回路の出力端と前記第１の定電圧出力回路の入力端との間に介在し前記第１の定電圧出力回路の出力ラインと接地ラインとの間が短絡したとき前記直流電圧出力回路から前記第１の定電圧出力回路への電流を遮断させるための第１の電流遮断手段と、前記直流電圧出力回路の出力端と前記第２の定電圧出力回路の入力端と間に介在し前記第２の定電圧出力回路の出力ラインと接地ラインとの間が短絡したとき前記直流電圧出力回路から前記第２の定電圧出力回路への電流を遮断させるための第２の電流遮断手段と、
前記複数の出力ライン接続側のダイオードとしての、前記第１の定電圧出力回路の出力ラインにカソードが接続された第１のダイオードと、前記第２の定電圧出力回路の出力ラインにカソードが接続された第２のダイオードと、
前記短絡保護検出用ライン接続側のダイオードとしての、前記第１のダイオードのアノードと前記第２のダイオードのアノードとの接続点に、カソードが接続され１個または２個以上直列接続された第３のダイオードとを含み構成され、
前記電流遮断制御手段は、前記第３のダイオードのアノードが接続されたラインを短絡保護検出用ラインとし、前記第１の定電圧出力回路の出力ラインまたは／および前記第２の定電圧出力回路の出力ラインが接地ラインとの間で短絡して短絡保護検出用ラインの電圧が所定値以下になったことを検出したときに、前記第１の電流遮断手段および前記第２の電流遮断手段を遮断動作させ、前記直流電圧出力回路から前記第１の定電圧出力回路および前記第２の定電圧出力回路への電流を遮断させることを特徴とする請求項１に記載の電源装置。
【請求項３】
前記第１の定電圧出力回路の出力ラインと接地ラインとの間の短絡は、前記第１の定電圧出力回路の出力ラインと接地ラインとの間に接続されたコンデンサが１個以上含む場合、そのコンデンサの短絡であり、前記第２の定電圧出力回路の出力ラインと接地ラインとの間の短絡は、前記第２の定電圧出力回路の出力ラインと接地ラインとの間に接続されたコンデンサが１個以上含む場合、そのコンデンサの短絡であることを特徴とする請求項２に記載の電源装置。
【請求項４】
安全規格の試験においては前記コンデンサの短絡を行うことを特徴とする請求項３に記載の電源装置。
【発明の詳細な説明】
【技術分野】
【０００１】
本発明は、一定電圧の電源を必要とする電気機器に備えられる電源装置に関し、特に、出力ラインに接続されているコンデンサが短絡した場合にレギュレータを保護する保護回路を有する電源装置に関する。
【背景技術】
【０００２】
従来から、ハードディスクレコーダやＤＶＤレコーダなどの電気機器には、一定電圧を供給する電源装置が備えられている。例えば、図３に従来の電源装置における回路構成の一例を示す。
【０００３】
図３に示す従来の電源装置は、降圧用のトランス３と整流用のダイオード４と平滑用の電解コンデンサ５，７と過度電流抑制用のコイル６とから構成される直流電圧出力回路１を備えている。この直流電圧出力回路１においては、商用交流電源２からの例えばＡＣ１００Ｖの交流電圧がトランス３で例えばＡＣ３．３Ｖの交流電圧に降圧され、ダイオード４および電解コンデンサ５，７によりＤＣ３．３Ｖの直流電圧として出力される。なお、ＡＣ３．３Ｖの交流電圧を整流すると、理論的にはＡＣ３．３Ｖの√２倍の直流電圧を得ることになるが、ダイオード４やコイル６などの内部抵抗による電圧降下が生じるので、電解コンデンサ７の両端の電圧、即ち直流電圧出力回路１の出力電圧はＤＣ３．３Ｖになるように構成されている。
【０００４】
また、この電源装置は、直流電圧出力回路１からの所定の直流電圧（この場合、ＤＣ３．３Ｖの直流電圧）を入力して一定の直流電圧（この場合、ＤＣ１．８Ｖの直流電圧）を出力するレギュレータ１０と、同じく直流電圧出力回路１からの所定の直流電圧（この場合、ＤＣ３．３Ｖの直流電圧）を入力して一定の直流電圧（この場合、ＤＣ１．８Ｖの直流電圧）を出力するレギュレータ１１とを備えている。
【０００５】
また、この電源装置は、直流電圧出力回路１の出力端とレギュレータ１０の入力端との間に介在しレギュレータ１０の出力ラインＬ１と接地ラインＬ２との間が短絡したとき直流電圧出力回路１からレギュレータ１０への電流を遮断させるための第１の電流遮断手段８と、直流電圧出力回路１の出力端とレギュレータ１１の入力端と間に介在しレギュレータ１１の出力ラインＬ３と接地ラインＬ２との間が短絡したとき直流電圧出力回路１からレギュレータ１１への電流を遮断させるための第２の電流遮断手段９とを備えている。
【０００６】
なお、第１の電流遮断手段８，９は、トランジスタによるスイッチ回路で構成しても良く、あるいはリレースイッチによるスイッチ回路で構成しても良い。レギュレータ１０の出力ラインＬ１と接地ラインＬ２との間には、コンデンサ１５が接続されているので、レギュレータ１０の出力ラインＬ１と接地ラインＬ２との間の短絡は、コンデンサ１５の短絡を示す。また、レギュレータ１１の出力ラインＬ３と接地ラインＬ２との間には、コンデンサ１９が接続されているので、レギュレータ１１の出力ラインＬ３と接地ラインＬ２との間の短絡は、コンデンサ１９の短絡を示す。
【０００７】
また、この電源装置は、ダイオード１２とダイオード１３とダイオード１４との直列回路、およびダイオード１６とダイオード１７とダイオード１８との直列回路を有する。ダイオード１２のカソードは、レギュレータ１０の出力ラインＬ１に接続されている。ダイオード１６のカソードは、レギュレータ１１の出力ラインＬ３に接続されている。ダイオード１４のアノードおよびダイオード１８のアノードは、短絡保護検出用ラインＬに接続されている。
【０００８】
また、この電源装置は、レギュレータ１０の出力ラインＬ１と接地ラインＬ２または／およびレギュレータ１１の出力ラインＬ３と接地ラインＬ２が短絡して短絡保護検出用ラインＬの電圧が所定値以下（この場合、１．８Ｖ）になったことを検出したときに、第１の電流遮断手段８および第２の電流遮断手段９を遮断動作させ、直流電圧出力回路１からレギュレータ１０およびレギュレータ１１への電流を遮断させる電流遮断制御手段の機能を有するマイコン（マイクロコンピュータ）２０を備えている。
【０００９】
この電源装置は、第１の電流遮断手段８、第２の電流遮断手段９、ダイオード１２、ダイオード１３、ダイオード１４、ダイオード１６、ダイオード１７、ダイオード１８、およびマイコン２０の電流遮断制御手段により、レギュレータ１０の出力ラインＬ１に接続されたコンデンサ１５の短絡からレギュレータ１０を保護したり、レギュレータ１１の出力ラインＬ３に接続されたコンデンサ１９の短絡からレギュレータ１１を保護したりするセーフティ回路を構成している。
【００１０】
次に、この電源装置においてセーフティ回路の動作について説明する。ＡＣ１００Ｖの商用交流電源２が直流電圧出力回路１に印加されると、直流電圧出力回路１は、前述した動作により、ＤＣ３．３Ｖの電圧を出力する。そして、その電圧は、電流遮断手段８を介してレギュレータ１０に、電流遮断手段９を介してレギュレータ１１に、それぞれ供給される。これにより、レギュレータ１０は、供給されたＤＣ３．３Ｖの電圧に基づいてＤＣ１．８Ｖの一定電圧を出力ラインＬ１に出力し、この一定電圧をチューナへ供給する。また、レギュレータ１１は、供給されたＤＣ３．３Ｖの電圧に基づいてＤＣ１．８Ｖの一定電圧を出力ラインＬ３に出力し、この一定電圧をメインＬＳＩ（大規模集積回路）に供給する。
【００１１】
マイコン２０の電流遮断制御手段は、出力ラインＬ１および出力ラインＬ３の状態を調べるため、短絡保護検出用ラインＬの電圧を監視しており、この電圧が所定値以下になったことを検出したときに、電流遮断手段８，９を遮断動作させ、直流電圧出力回路１からレギュレータ１０，１１への電流を遮断させる。これにより、レギュレータ１０，１１は、出力ラインＬ１，Ｌ３の短絡から保護されることになる。
【００１２】
この電源装置が正常なときは、例えば、出力ラインＬ１の電圧は１．８Ｖであり、短絡保護検出用ラインＬの電圧は３．３Ｖであり、ダイオード１２，１３，１４の間には順方向に電位差１．５Ｖの電圧が印加されている。ダイオード１２，１３，１４の各順方向電圧は、０．６Ｖであるので、電位差１．５Ｖの電圧がダイオード１２，１３，１４の間に印加されている状態では、ダイオード１２，１３，１４には電流が流れない。
【００１３】
したがって、この状態では、短絡保護検出用ラインＬの電圧は３．３Ｖを維持しており、マイコン２０の電流遮断制御手段は、異常を検出していないが、例えば、コンデンサ１５が短絡すると、レギュレータ１０の出力ラインＬ１の電圧が、１．８Ｖから０Ｖに下がり、これに伴って、ダイオード１２，１３，１４の間には、順方向に３．３Ｖの電圧が印加され、ダイオード１２，１３，１４の個々には、１．１Ｖの電圧が印加されることになり、順方向電流が流れ、正常時のダイオード１２，１３，１４の間の電位差１．５Ｖがなくなり、結果的に短絡保護検出用ラインＬの電圧が３．３Ｖから１．８Ｖに低下する。
【００１４】
即ち、正常時には、短絡保護検出用ラインＬの電圧がハイレベル電圧（３．３Ｖ）を示していたものが、短絡時には、短絡保護検出用ラインＬの電圧がローレベル電圧（１．８Ｖ）を示すことになり、マイコン２０の電流遮断制御手段は、そのローレベル電圧を検出することにより、次の動作を行う。電流遮断制御手段は、ローレベル電圧を検出すると、電流遮断手段８，９を遮断動作させる。これにより、直流電圧出力回路１からレギュレータ１０およびレギュレータ１１への電流が遮断され、この場合、コンデンサ１５の短絡や安全規格におけるコンデンサ１５の短絡試験があってもレギュレータ１０が保護される。
【００１５】
次に、レギュレータ１１の出力ラインＬ３に接続されたコンデンサ１９が短絡した場合の動作について説明する。
【００１６】
この電源装置が正常なときは、例えば、出力ラインＬ３の電圧は１．８Ｖであり、短絡保護検出用ラインＬの電圧は３．３Ｖであり、ダイオード１６，１７，１８の間には順方向に電位差１．５Ｖの電圧が印加されている。ダイオード１６，１７，１８の各順方向電圧は、０．６Ｖであるので、電位差１．５Ｖの電圧がダイオード１６，１７，１８の間に印加されている状態では、ダイオード１６，１７，１８には電流が流れない。
【００１７】
したがって、この状態では、短絡保護検出用ラインＬの電圧は３．３Ｖを維持しており、マイコン２０の電流遮断制御手段は、異常を検出していないが、例えば、コンデンサ１９が短絡すると、レギュレータ１１の出力ラインＬ３の電圧が、１．８Ｖから０Ｖに下がり、これに伴って、ダイオード１６，１７，１８の間には、順方向に３．３Ｖの電圧が印加され、ダイオード１６，１７，１８の個々には、１．１Ｖの電圧が印加されることになり、順方向電流が流れ、正常時のダイオード１６，１７，１８の間の電位差１．５Ｖがなくなり、結果的に短絡保護検出用ラインＬの電圧が３．３Ｖから１．８Ｖに低下する。
【００１８】
即ち、正常時には、短絡保護検出用ラインＬの電圧がハイレベル電圧（３．３Ｖ）を示していたものが、短絡時には、短絡保護検出用ラインＬの電圧がローレベル電圧（１．８Ｖ）を示すことになり、マイコン２０の電流遮断制御手段は、そのローレベル電圧を検出することにより、次の動作を行う。電流遮断制御手段は、ローレベル電圧を検出すると、電流遮断手段８，９を遮断動作させる。これにより、直流電圧出力回路１からレギュレータ１０およびレギュレータ１１への電流が遮断され、例えば、コンデンサ１５の短絡や安全規格におけるコンデンサ１５の短絡試験があってもレギュレータ１０が保護される。
【特許文献１】特開２００４−３３６９０２号公報
【特許文献２】特開２００５−２３７０９１号公報
【特許文献３】特開２００６−３５２９７５号公報
【発明の開示】
【発明が解決しようとする課題】
【００１９】
従来の電源装置は以上のような構成を有しているが、短絡保護検出用ラインＬの電圧を検出するために、レギュレータ１０に対しては３個のダイオード１２，１３，１４が用いられ、レギュレータ１１に対しては３個のダイオード１６，１７，１８が用いられているので、ダイオードの個数が合計６個となり、これらのダイオードは通常動作においては不要な部品であり、部品点数が多くなると、製造工程の工数の増加やプリント基板の面積の増加が生じ、この結果、コストアップするという課題があった。
【００２０】
なお、特許文献１の従来技術は、複数出力の短絡検出においても、複数出力の電圧検出回路による合成抵抗が発生しないため、電圧検出が可能となり、複数出力の短絡検出ができるように構成されているが、前述した従来の電源装置のような回路構成のものでなく、また、レギュレータの出力ラインに接続されたコンデンサの短絡からレギュレータを保護するセーフティ回路に含まれるダイオードの個数を削減するものではない。
【００２１】
また、特許文献２の従来技術は、電源回路の変圧器の二次側に接続させる制御用マイコン電源ラインおよび信号系電源ラインの何れか一方に短絡を生じた場合に他方の電源ラインによって短絡を検出できると共に、制御用マイコンの誤動作を防ぐこともできる電源回路を提供しているが、この従来技術も、前述した従来の電源装置のような回路構成のものでなく、また、レギュレータの出力ラインに接続されたコンデンサの短絡からレギュレータを保護するセーフティ回路に含まれるダイオードの個数を削減するものではない。
【００２２】
また、特許文献３の従来技術は、スイッチング電源装置の出力側に接続された電子回路の出力側が短絡されたときに、スイッチング電源装置のスイッチング動作を停止させて、短絡電流による電子回路の発熱や焼損を防止することができるようにしているが、この従来技術も、前述した従来の電源装置のような回路構成のものでなく、また、レギュレータの出力ラインに接続されたコンデンサの短絡からレギュレータを保護するセーフティ回路に含まれるダイオードの個数を削減するものではない。
【００２３】
本発明は、上記のような課題を解決するためになされたもので、セーフティ信号ラインである短絡保護検出用ラインの電圧を検出するために用いられるダイオードの個数を削減できるセーフティ回路を有する電源装置を提供することを目的とする。
【課題を解決するための手段】
【００２４】
上記目的を達成するために、請求項１の発明は、印加された交流電圧を低圧にして所定の直流電圧に変換して出力する直流電圧出力回路と、前記直流電圧出力回路からの所定の直流電圧を入力して一定の直流電圧を出力する複数の定電圧出力回路と、前記直流電圧出力回路の出力端と前記各定電圧出力回路の入力端との間にそれぞれ介在し当該定電圧出力回路の出力ラインと接地ラインとの間が短絡したとき前記直流電圧出力回路から前記各定電圧出力回路への電流をそれぞれ遮断させるための複数の電流遮断手段と、前記各定電圧出力回路の出力ラインにそれぞれカソードが接続された複数の出力ライン接続側のダイオードと、前記各出力ライン接続側のダイオードのアノードの接続点に、カソードが接続され１個または２個以上直列接続された短絡保護検出用ライン接続側のダイオードと、前記短絡保護検出用ライン接続側のダイオードのアノードが接続されたラインを短絡保護検出用ラインとし、前記複数の定電圧出力回路の出力ラインの何れかが接地ラインとの間で短絡して短絡保護検出用ラインの電圧が所定値以下になったことを検出したときに、前記複数の電流遮断手段を遮断動作させ、前記直流電圧出力回路から前記複数の定電圧出力回路への電流を遮断させる電流遮断制御手段とを含み構成されたことを特徴とする電源装置を提供する。
【００２５】
この構成においては、電流遮断制御手段は、複数の定電圧出力回路の出力ラインの状態を調べるため、ダイオードが接続された短絡保護検出用ラインの電圧を監視しており、この電圧が所定値以下になったことを検出したときに、複数の電流遮断手段を遮断動作させ、直流電圧出力回路から複数の定電圧出力回路への電流を遮断させる。これにより、複数の定電圧出力回路は、各出力ラインの短絡から保護されることになる。
【００２６】
この構成によれば、セーフティ信号ラインである短絡保護検出用ラインの電圧を検出するために用いられるダイオードの個数を削減できるセーフティ回路を構成でき、これにより、ダイオードの個数を削減できて、製造工程の工数の減少やプリント基板の面積の減少を図ることができ、この結果、コストダウンを実現することが可能になる。
【００２７】
請求項２の発明では、請求項１の発明において、前記複数の定電圧出力回路としての、前記直流電圧出力回路からの所定の直流電圧を入力して一定の直流電圧を出力する第１の定電圧出力回路と、同じく前記直流電圧出力回路からの所定の直流電圧を入力して一定の直流電圧を出力する第２の定電圧出力回路と、前記複数の電流遮断手段としての、前記直流電圧出力回路の出力端と前記第１の定電圧出力回路の入力端との間に介在し前記第１の定電圧出力回路の出力ラインと接地ラインとの間が短絡したとき前記直流電圧出力回路から前記第１の定電圧出力回路への電流を遮断させるための第１の電流遮断手段と、前記直流電圧出力回路の出力端と前記第２の定電圧出力回路の入力端と間に介在し前記第２の定電圧出力回路の出力ラインと接地ラインとの間が短絡したとき前記直流電圧出力回路から前記第２の定電圧出力回路への電流を遮断させるための第２の電流遮断手段と、前記複数の出力ライン接続側のダイオードとしての、前記第１の定電圧出力回路の出力ラインにカソードが接続された第１のダイオードと、前記第２の定電圧出力回路の出力ラインにカソードが接続された第２のダイオードと、前記短絡保護検出用ライン接続側のダイオードとしての、前記第１のダイオードのアノードと前記第２のダイオードのアノードとの接続点に、カソードが接続され１個または２個以上直列接続された第３のダイオードとを含み構成され、前記電流遮断制御手段は、前記第３のダイオードのアノードが接続されたラインを短絡保護検出用ラインとし、前記第１の定電圧出力回路の出力ラインまたは／および前記第２の定電圧出力回路の出力ラインが接地ラインとの間で短絡して短絡保護検出用ラインの電圧が所定値以下になったことを検出したときに、前記第１の電流遮断手段および前記第２の電流遮断手段を遮断動作させ、前記直流電圧出力回路から前記第１の定電圧出力回路および前記第２の定電圧出力回路への電流を遮断させることを特徴とするものである。
【００２８】
この構成においては、電流遮断制御手段は、第１，第２の定電圧出力回路の各出力ラインの状態を調べるため、ダイオードが接続された短絡保護検出用ラインの電圧を監視しており、この電圧が所定値以下になったことを検出したときに、第１，第２の電流遮断手段を遮断動作させ、直流電圧出力回路から第１，第２の定電圧出力回路への電流を遮断させる。これにより、第１，第２の定電圧出力回路は、各出力ラインの短絡から保護されることになる。
【００２９】
この構成によれば、セーフティ信号ラインである短絡保護検出用ラインの電圧を検出するために用いられるダイオードの個数を削減できるセーフティ回路を構成でき、これにより、ダイオードの個数を削減できて、製造工程の工数の減少やプリント基板の面積の減少を図ることができ、この結果、コストダウンを実現することが可能になる。
【００３０】
請求項３の発明では、請求項２の発明において、前記第１の定電圧出力回路の出力ラインと接地ラインとの間の短絡は、前記第１の定電圧出力回路の出力ラインと接地ラインとの間に接続されたコンデンサが１個以上含む場合、そのコンデンサの短絡であり、前記第２の定電圧出力回路の出力ラインと接地ラインとの間の短絡は、前記第２の定電圧出力回路の出力ラインと接地ラインとの間に接続されたコンデンサが１個以上含む場合、そのコンデンサの短絡であることを特徴とするものである。
【００３１】
したがって、コンデンサが短絡されると、第１，第２の定電圧出力回路の出力ラインと接地ラインとの間の短絡として検出され、これにより、第１，第２の定電圧出力回路は、短絡から保護されることになる。
【００３２】
請求項４の発明では、請求項３の発明において、安全規格の試験においては前記コンデンサの短絡を行うことを特徴とするものである。
【００３３】
したがって、安全規格の試験においてコンデンサの短絡を行ったときに、第１，第２の定電圧出力回路が、短絡から保護されれば、正常にセーフティ回路が働いたことになるので、安全規格上の試験は合格したことになる。
【発明の効果】
【００３４】
以上のように本発明によれば、セーフティ信号ラインである短絡保護検出用ラインの電圧を検出するために用いられるダイオードの個数を削減できるセーフティ回路を構成でき、これにより、ダイオードの個数を削減できて、製造工程の工数の減少やプリント基板の面積の減少を図ることができ、この結果、コストダウンを実現することが可能になる。
【発明を実施するための最良の形態】
【００３５】
以下、添付図面を参照しつつ、本発明の実施の形態について説明する。図１は本発明の一実施形態に係る電源装置の回路構成を示す回路図である。
【００３６】
この電源装置は、降圧用のトランス３と整流用のダイオード４と平滑用の電解コンデンサ５，７と過度電流抑制用のコイル６とから構成される直流電圧出力回路１を備えている。なお、ここで示す直流電圧出力回路１は、一例であるので、回路素子の個数や回路構成は、これに限ることはない。この直流電圧出力回路１においては、商用交流電源２からの例えばＡＣ１００Ｖの交流電圧がトランス３で例えばＡＣ３．３Ｖの交流電圧に降圧され、ダイオード４および電解コンデンサ５，７によりＤＣ３．３Ｖの直流電圧として出力される。なお、ＡＣ３．３Ｖの交流電圧を整流すると、理論的にはＡＣ３．３Ｖの√２倍の直流電圧を得ることになるが、ダイオード４やコイル６などの内部抵抗による電圧降下が生じるので、電解コンデンサ７の両端の電圧、即ち直流電圧出力回路１の出力電圧はＤＣ３．３Ｖになるように構成されている。
【００３７】
また、この電源装置は、直流電圧出力回路１からの所定の直流電圧（この場合、ＤＣ３．３Ｖの直流電圧）を入力して一定の直流電圧（この場合、ＤＣ１．８Ｖの直流電圧）を出力する第１の定電圧出力回路としてのレギュレータ１０と、同じく直流電圧出力回路１からの所定の直流電圧（この場合、ＤＣ３．３Ｖの直流電圧）を入力して一定の直流電圧（この場合、ＤＣ１．８Ｖの直流電圧）を出力する第２の定電圧出力回路としてのレギュレータ１１とを備えている。
【００３８】
また、この電源装置は、直流電圧出力回路１の出力端とレギュレータ１０の入力端との間に介在しレギュレータ１０の出力ラインＬ１と接地ラインＬ２との間が短絡したとき直流電圧出力回路１からレギュレータ１０への電流を遮断させるための第１の電流遮断手段８と、直流電圧出力回路１の出力端とレギュレータ１１の入力端と間に介在しレギュレータ１１の出力ラインＬ３と接地ラインＬ２との間が短絡したとき直流電圧出力回路１からレギュレータ１１への電流を遮断させるための第２の電流遮断手段９とを備えている。
【００３９】
なお、第１の電流遮断手段８，９は、トランジスタによるスイッチ回路で構成しても良く、あるいはリレースイッチによるスイッチ回路で構成しても良い。レギュレータ１０の出力ラインＬ１と接地ラインＬ２との間には、コンデンサ１５が接続されているので、レギュレータ１０の出力ラインＬ１と接地ラインＬ２との間の短絡は、コンデンサ１５の短絡を示す。また、レギュレータ１１の出力ラインＬ３と接地ラインＬ２との間には、コンデンサ１９が接続されているので、レギュレータ１１の出力ラインＬ３と接地ラインＬ２との間の短絡は、コンデンサ１９の短絡を示す。
【００４０】
また、この電源装置は、レギュレータ１０の出力ラインＬ１にカソードが接続された第１のダイオードとしてのダイオード１２と、レギュレータ１１の出力ラインＬ３にカソードが接続された第２のダイオードとしてのダイオード１６と、ダイオード１２のアノードとダイオード１６のアノードとの接続点に、カソードが接続され１個または２個以上（この場合は２個）直列接続された第３のダイオードとしてのダイオード１３およびダイオード１４とを備えている。
【００４１】
また、この電源装置は、ダイオード１４のアノードが接続されたラインを短絡保護検出用ラインＬとし、レギュレータ１０の出力ラインＬ１と接地ラインＬ２または／およびレギュレータ１１の出力ラインＬ３と接地ラインＬ２が短絡して短絡保護検出用ラインＬの電圧が所定値以下（この場合、１．８Ｖ）になったことを検出したときに、第１の電流遮断手段８および第２の電流遮断手段９を遮断動作させ、直流電圧出力回路１からレギュレータ１０およびレギュレータ１１への電流を遮断させる電流遮断制御手段の機能を有するマイコン（マイクロコンピュータ）２０を備えている。なお、ここでは、マイコン２０に電流遮断制御手段の機能を設けたが、これに限らず、電流遮断制御手段を実現する制御回路を備えても良い。
【００４２】
この電源装置は、第１の電流遮断手段８、第２の電流遮断手段９、ダイオード１２、ダイオード１３、ダイオード１４、ダイオード１６、およびマイコン２０の電流遮断制御手段により、レギュレータ１０の出力ラインＬ１に接続されたコンデンサ１５の短絡からレギュレータ１０を保護したり、レギュレータ１１の出力ラインＬ３に接続されたコンデンサ１９の短絡からレギュレータ１１を保護したりするセーフティ回路を構成している。
【００４３】
図２は本実施形態においてセーフティ回路の動作を説明するためのフローチャートである。この電源装置においてセーフティ回路の動作について図２に示すフローチャートも参照して説明する。
【００４４】
ＡＣ１００Ｖの商用交流電源２が直流電圧出力回路１に印加されると（ステップＳ１）、直流電圧出力回路１は、前述した動作により、ＤＣ３．３Ｖの電圧を出力する（ステップＳ２）。そして、その電圧は、電流遮断手段８を介してレギュレータ１０に、電流遮断手段９を介してレギュレータ１１に、それぞれ供給される。これにより、レギュレータ１０は、供給されたＤＣ３．３Ｖの電圧に基づいてＤＣ１．８Ｖの一定電圧を出力ラインＬ１に出力し（ステップＳ３）、この一定電圧をチューナへ供給する。また、レギュレータ１１は、供給されたＤＣ３．３Ｖの電圧に基づいてＤＣ１．８Ｖの一定電圧を出力ラインＬ３に出力し（ステップＳ３）、この一定電圧をメインＬＳＩ（大規模集積回路）に供給する。
【００４５】
マイコン２０の電流遮断制御手段は、出力ラインＬ１および出力ラインＬ３の状態を調べるため、短絡保護検出用ラインＬの電圧を監視しており、この電圧が所定値以下になったことを検出したときに、電流遮断手段８，９を遮断動作させ、直流電圧出力回路１からレギュレータ１０，１１への電流を遮断させる。これにより、レギュレータ１０，１１は、出力ラインＬ１，Ｌ３の短絡から保護されることになる。
【００４６】
この電源装置が正常なときは、例えば、出力ラインＬ１の電圧は１．８Ｖであり、短絡保護検出用ラインＬの電圧は３．３Ｖであり、ダイオード１２，１３，１４の間には順方向に電位差１．５Ｖの電圧が印加されている。ダイオード１２，１３，１４の各順方向電圧は、０．６Ｖであるので、電位差１．５Ｖの電圧がダイオード１２，１３，１４の間に印加されている状態では、ダイオード１２，１３，１４には電流が流れない。
【００４７】
したがって、この状態では、短絡保護検出用ラインＬの電圧は３．３Ｖを維持しており、マイコン２０の電流遮断制御手段は、異常を検出していないが、例えば、コンデンサ１５が短絡すると、レギュレータ１０の出力ラインＬ１の電圧が、１．８Ｖから０Ｖに下がり、これに伴って、ダイオード１２，１３，１４の間には、順方向に３．３Ｖの電圧が印加され、ダイオード１２，１３，１４の個々には、１．１Ｖの電圧が印加されることになり、順方向電流が流れ、正常時のダイオード１２，１３，１４の間の電位差１．５Ｖがなくなり、結果的に短絡保護検出用ラインＬの電圧が３．３Ｖから１．８Ｖに低下する。
【００４８】
即ち、正常時には、短絡保護検出用ラインＬの電圧がハイレベル電圧（３．３Ｖ）を示していたものが、短絡時には、短絡保護検出用ラインＬの電圧がローレベル電圧（１．８Ｖ）を示すことになり、マイコン２０の電流遮断制御手段は、そのローレベル電圧を検出することにより、次の動作を行う。電流遮断制御手段は、ローレベル電圧を検出すると（ステップＳ４）、電流遮断手段８，９を遮断動作させる（ステップＳ５）。これにより、直流電圧出力回路１からレギュレータ１０およびレギュレータ１１への電流が遮断され、この場合、コンデンサ１５の短絡や安全規格におけるコンデンサ１５の短絡試験があってもレギュレータ１０が保護される。
【００４９】
次に、レギュレータ１１の出力ラインＬ３に接続されたコンデンサ１９が短絡した場合のセーフティ回路の動作について説明する。
【００５０】
この電源装置が正常なときは、例えば、出力ラインＬ３の電圧は１．８Ｖであり、短絡保護検出用ラインＬの電圧は３．３Ｖであり、ダイオード１６，１３，１４の間には順方向に電位差１．５Ｖの電圧が印加されている。ダイオード１６，１３，１４の各順方向電圧は、０．６Ｖであるので、電位差１．５Ｖの電圧がダイオード１６，１３，１４の間に印加されている状態では、ダイオード１６，１３，１４には電流が流れない。
【００５１】
したがって、この状態では、短絡保護検出用ラインＬの電圧は３．３Ｖを維持しており、マイコン２０の電流遮断制御手段は、異常を検出していないが、例えば、コンデンサ１９が短絡すると、レギュレータ１１の出力ラインＬ３の電圧が、１．８Ｖから０Ｖに下がり、これに伴って、ダイオード１６，１３，１４の間には、順方向に３．３Ｖの電圧が印加され、ダイオード１６，１３，１４の個々には、１．１Ｖの電圧が印加されることになり、順方向電流が流れ、正常時のダイオード１６，１３，１４の間の電位差１．５Ｖがなくなり、結果的に短絡保護検出用ラインＬの電圧が３．３Ｖから１．８Ｖに低下する。
【００５２】
即ち、正常時には、短絡保護検出用ラインＬの電圧がハイレベル電圧（３．３Ｖ）を示していたものが、短絡時には、短絡保護検出用ラインＬの電圧がローレベル電圧（１．８Ｖ）を示すことになり、マイコン２０の電流遮断制御手段は、そのローレベル電圧を検出することにより、次の動作を行う。電流遮断制御手段は、ローレベル電圧を検出すると、電流遮断手段８，９を遮断動作させる。これにより、直流電圧出力回路１からレギュレータ１０およびレギュレータ１１への電流が遮断され、この場合、コンデンサ１９の短絡や安全規格におけるコンデンサ１９の短絡試験があってもレギュレータ１１が保護される。
【００５３】
以上説明したように本実施形態によれば、セーフティ信号ラインである短絡保護検出用ラインＬの電圧を検出するために用いられるダイオードの個数を従来の６個から４個に削減できるセーフティ回路を構成でき、これにより、ダイオードの個数を削減できて、製造工程の工数の減少やプリント基板の面積の減少を図ることができ、この結果、コストダウンを実現することが可能になる。
【００５４】
なお、上記実施形態では、レギュレータ１０の出力をチューナに接続し、レギュレータ１１の出力をメインＬＳＩに接続した構成について説明したが、レギュレータ１０，１１の出力の接続先は、それらに限ることはない。また、上記実施形態では、レギュレータが２個のものを例に挙げて説明したが、レギュレータが３個以上のものであっても、ダイオードを同様な考え方で接続すれば、ダイオードの個数を削減することが可能である。
【産業上の利用可能性】
【００５５】
本発明は、ハードディスクレコーダ、ＤＶＤレコーダ、その他一定電圧を必要とする電気機器の電源装置に利用可能であり、電源装置のセーフティ回路を構成する部品点数の削減を図れる。
【図面の簡単な説明】
【００５６】
【図１】本発明の一実施形態に係る電源装置の回路構成を示す回路図である。
【図２】前記実施形態においてセーフティ回路の動作を説明するためのフローチャートである。
【図３】従来の電源装置の回路構成の一例を示す回路図である。
【符号の説明】
【００５７】
１    直流電圧出力回路
８    第１の電流遮断手段
９    第２の電流遮断手段
１０    レギュレータ（第１の定電圧出力回路）
１１    レギュレータ（第２の定電圧出力回路）
１２    ダイオード（第１のダイオード）
１３，１４    ダイオード（第３のダイオード）
１５，１９    コンデンサ
１６    ダイオード（第２のダイオード）
２０    マイコン（電流遮断制御手段）
Ｌ    短絡保護検出用ライン
Ｌ１，Ｌ３    出力ライン
Ｌ２    接地ライン
【図１】
2008301583.tif 000003
【図２】
2008301583.tif 000004
【図３】
2008301583.tif 000005